(57)【要約】      （修正有）【課題】使用時にメガネが曇ることや、化粧が落ちることを効果的に防止でき、また、使用時の蒸れや息苦しさを効果的に軽減できる衛生マスク用補助具及び衛生マスク用補助具を備える衛生マスクを提供する。【解決手段】衛生マスクに装着して使用する衛生マスク用補助具１であって、使用者の鼻下からほうれい線に沿って顎の左右までを覆うと共に、使用時の底面視において顎との間に開口が形成されるように膨出したドーム型の本体部１０を備え、本体部１０は、複数の網目１１を備えるメッシュ状の生地で構成されており、本体部１０の内側に、本体部１０の右側端部付近と左側端部付近とを橋渡すように連結して、使用者の顎と当接する顎当て部３０を配置してある。【選択図】図１
0003230513.tif 000002
【実用新案登録請求の範囲】
【請求項１】
衛生マスクに装着して使用する衛生マスク用補助具であって、使用者の鼻下からほうれい線に沿って顎の左右までを覆うと共に、使用時の底面視において顎との間に開口が形成されるように膨出したドーム型の本体部を備え、前記本体部は、メッシュ状の生地で構成されており、本体部の内側に、本体部の右側端部付近と左側端部付近とを橋渡すように連結して、使用者の顎と当接する顎当て部を配置してあることを特徴とする衛生マスク用補助具。
【請求項２】
本体部の外縁を覆う縁部材を更に備えることを特徴とする請求項１に記載の衛生マスク用補助具。
【請求項３】
顎当て部は、帯状部材で構成されることを特徴とする請求項１又は２に記載の衛生マスク用補助具。
【請求項４】
請求項１〜３の何れか１項に記載の衛生マスク用補助具を衛生マスクに固定して装着してあることを特徴とする衛生マスク。
【考案の詳細な説明】
【技術分野】
【０００１】
本考案は、衛生マスクに装着して使用する衛生マスク用補助具及び前記衛生マスク用補助具を備える衛生マスクに関する。
【背景技術】
【０００２】
近年、ウイルス対策や花粉症対策などに用いられるいわゆる衛生マスクの需要が急増している。このような衛生マスクとして、近年では、フィルター機能を有する不織布で構成されるマスク本体の左右両側に耳紐を設け、鼻口部を覆うようにした不織布製の使い捨て衛生マスクが主流となっている。
このような従来の衛生マスクを示すものとして、例えば、下記特許文献１がある。
【先行技術文献】
【特許文献】
【０００３】
【特許文献１】特開２０１２−１０５８７２号公報
【考案の概要】
【考案が解決しようとする課題】
【０００４】
上記特許文献１に示す従来技術は、衛生マスクに関するもので、覆い部に横方向に延びる複数のヒダが形成された横ヒダ型衛生マスクにおいて、装着状態の側縁部の一部が顔の肌から浮き上がり、気密性に欠けるとともに見栄えが悪いという問題を解決できるメリットがある。
しかしながら、特許文献１に示すような従来の衛生マスクにおいては、鼻と頬との境界部分に十分にフィットせず、どうしてもマスク本体と鼻と頬との境界部分との間に隙間が生じ易く、衛生マスクの使用者の呼気が前記隙間から漏れ出易いという問題があった。
このような問題は、特に眼鏡の着用者にとっては、眼鏡のレンズが曇り易くなることから、衛生マスクの使用時の不快感につながるという問題があった。
また、特許文献１に示すような従来の衛生マスクにおいては、口の回りに一定の空間が形成されるものの、衛生マスクと唇及びその周辺や頬とが接しすく、特に女性が衛生マスクを使用する場合には、口紅をはじめとした化粧が落ちやすいという問題があった。
【０００５】
そこで、本考案は上記従来技術の問題を解消し、使用時にメガネが曇ることや、化粧が落ちることを効果的に防止でき、また、使用時の蒸れや息苦しさを効果的に軽減できる衛生マスク用補助具及び前記衛生マスク用補助具を備える衛生マスクの提供を課題とする。
【課題を解決するための手段】
【０００６】
本考案の衛生マスク用補助具は、衛生マスクに装着して使用する衛生マスク用補助具であって、使用者の鼻下からほうれい線に沿って顎の左右までを覆うと共に、使用時の底面視において顎との間に開口が形成されるように膨出したドーム型の本体部を備え、前記本体部は、メッシュ状の生地で構成されており、本体部の内側に、本体部の右側端部付近と左側端部付近とを橋渡すように連結して、使用者の顎と当接する顎当て部を配置してあることを第１の特徴としている。
また、本考案の衛生マスク用補助具は、上記第１の特徴に加えて、本体部の外縁を覆う縁部材を更に備えることを第２の特徴としている。
また、本考案の衛生マスク用補助具は、上記第１又は第２の特徴に加えて、顎当て部は、帯状部材で構成されることを第３の特徴としている。
また、本考案の衛生マスクは、請求項１〜３の何れか１項に記載の衛生マスク用補助具を衛生マスクに固定して装着してあることを第４の特徴としている。
【考案の効果】
【０００７】
請求項１に記載の衛生マスク用補助具によれば、メッシュ状の生地で構成されると共に、使用者の鼻下からほうれい線に沿って顎の左右までを覆うと共に、使用時の底面視において顎との間に開口が形成されるように膨出したドーム型で構成される本体部によって、衛生マスクの使用時に、使用者の口回りに適度な空間を形成することができると共に、衛生マスクと使用者の顎との間に開口を形成することができる。加えて、顎当て部によって、耳紐による本体部への顔方向に向かう応力に伴ってドーム型で構成される本体部の形状が崩れることを効果的に防止することができる。
以上により、使用者の鼻や口から吐き出される息を前記開口から放出させることが可能となり、これによって、衛生マスクの使用時の蒸れや息苦しさを効果的に軽減させることができる。
また、衛生マスクの使用者が眼鏡の着用者である場合でも、眼鏡が曇ることを効果的に防止することができる。
更に、ドーム型で構成される本体部の形状が崩れることを効果的に防止できることで、使用者の口回りに形成される適度な空間を保持でき、衛生マスクと唇及びその周辺や頬とが接することを効果的に防止することができる。よって、衛生マスクの使用者が女性である場合でも、口紅をはじめとした化粧が落ちることを効果的に防止することができる。
【０００８】
また、請求項２に記載の衛生マスク用補助具によれば、上記請求項１に記載の構成による作用効果に加えて、縁部材を備えることで、メッシュ状の生地が肌に直接当たることを効果的に防止でき、装着感の良好な衛生マスク用補助具とすることができる。
【０００９】
また、請求項３に記載の衛生マスク用補助具によれば、上記請求項１又は２に記載の構成による作用効果に加えて、帯状部材で顎当て部を構成することで、顎当て部を一段と使用者の顎にフィットさせ易くすることができる。よって、装着感の良い衛生マスク用補助具とすることができる。また、耳紐による本体部への顔方向に向かう応力を効果的に軽減させることができ、ドーム型で構成される本体部の形状が崩れることを一段と効果的に防止することができる。
【００１０】
また、請求項４に記載の衛生マスクによれば、使用時の蒸れや息苦しさを効果的に軽減させることが可能な衛生マスクとすることができる。
また、衛生マスクの使用者が眼鏡の着用者である場合でも、眼鏡が曇ることを効果的に防止することが可能な衛生マスクとすることができる。
更に、衛生マスクと唇及びその周辺や頬とが接することを効果的に防止することが可能な衛生マスクとすることができる。加えて、衛生マスクの使用者が女性である場合でも、口紅をはじめとした化粧が落ちることを効果的に防止することが可能な衛生マスクとすることができる。
【図面の簡単な説明】
【００１１】
【図１】本考案の実施形態に係る衛生マスク用補助具を示す図で、（ａ）は全体斜視図、（ｂ）は全体底面図である。
【図２】本考案の実施形態に係る衛生マスク用補助具を示す図で、（ａ）は全体正面図、（ｂ）は全体背面図である。
【図３】本考案の実施形態に係る衛生マスク用補助具を装着した状態の衛生マスクを示す図で、（ａ）は全体側面図、（ｂ）は衛生マスクを開いた状態を示す全体正面図である。
【図４】本考案の実施形態に係る衛生マスク用補助具を装着した状態の衛生マスクを示す図で、（ａ）は衛生マスクを開いた状態を示す全体背面図、（ｂ）は衛生マスクを開いた状態を斜め後方から見た図である。
【図５】本考案の実施形態に係る衛生マスク用補助具を装着した状態の衛生マスクを使用した状態を模式的に示す図で、（ａ）は斜め前方から見た図、（ｂ）は斜め前方から見た状態における衛生マスクの図示を省略した図、（ｃ）は斜め上方から見た状態における衛生マスクの図示を省略した図である。
【図６】本考案の実施形態に係る衛生マスク用補助具を装着した状態の衛生マスクを使用した状態と、従来の衛生マスクを使用した状態を模式的に示す図で、（ａ）は本考案の実施形態に係る衛生マスク用補助具を装着した状態の衛生マスクを使用した状態を下方から見た図、（ｂ）は従来の衛生マスクを使用した状態を斜め前方から見た図である。
【図７】本考案の実施形態に係る衛生マスク用補助具と衛生マスクの変形例を示す図で、（ａ）は衛生マスク用補助具の変形例を示す全体背面図、（ｂ）は衛生マスクの変形例を示す全体背面図である。
【考案を実施するための形態】
【００１２】
以下の図面を参照して、本考案の実施形態に係る衛生マスク用補助具及び前記衛生マスク用補助具を内側に固定して装着してなる衛生マスクを説明し、本考案の理解に供する。しかし、以下の説明は本考案の実用新案登録請求の範囲に記載の考案を限定するものではない。
【００１３】
図１〜図６を参照して、本考案の実施形態に係る衛生マスク用補助具１及び前記衛生マスク用補助具１を内側に固定して装着してなる衛生マスク４０を説明する。
【００１４】
図１〜図６に示すように、本考案に係る衛生マスク用補助具１は、衛生マスク４０の内側に装着して使用するものである。
【００１５】
この衛生マスク用補助具１は、図１、図２に示すように、本体部１０と、縁部材２０と、顎当て部３０とで構成される。
【００１６】
前記本体部１０は、衛生マスク用補助具１の骨格を構成するものである。
本実施形態においては、図１〜図６（ａ）に示すように、使用者２の鼻下からほうれい線に沿って顎Ｇの左右までと当接して使用者２の口回りを覆うと共に、図６（ａ）に示すように、使用時の底面視において顎Ｇとの間に開口Ｋ１が形成されるように膨出したドーム型の部材で本体部１０を形成してある。加えて、本実施形態においては図５に示すように、使用時の平面視において、本体部１０の上方側の先端部が使用者２の鼻先よりも前に出ることで、鼻先との間に開口Ｋ２が形成されるように膨出したドーム型の部材で本体部１０を形成してある。
また、本体部１０は、複数の網目１１を備えるメッシュ状の生地で構成されている。メッシュ状の生地としては、例えば、ポリエステルを用いることができるが、これに限るものではなく、他の樹脂やその他の材料を用いる構成としてもよい。
また、網目１１の形状、大きさ、配置位置、数なども本実施形態のものに限るものではなく、衛生マスク用補助具の大きさ、形状などによって適宜変更可能である。
なお、本実施形態においては、複数の網目１１を備えるポリエステルで形成される生地に、熱プレス加工を施してドーム型に成形することで、本体部１０を形成する構成としてある。
なお、図５においては、説明の便宜上、本体部１０に備える網目１１を省略して図示するものとする。
【００１７】
前記縁部材２０は、本体部１０の外縁を覆う部材で、衛生マスク用補助具１の肌触りを向上させるために配置する部材である。
本実施形態においては、縁部材２０として、トリコット生地を用いる構成としてある。より具体的には、縦方向と横方向の両方に伸びるいわゆるツーウェイトリコット生地を用いる構成としてある。勿論、縁部材２０の材質はトリコット生地に限るものではなく、肌触りの良好な素材であれば、他の素材を用いる構成としてもよい。
また、図示していないが、本実施形態においては、ツーウェイトリコット生地を本体部１０の表裏の何れか一面側から本体部１０を挟んで他面側に折り返した状態で糸を用いて縫製することで、本体部１０の外縁に縁部材２０を設ける構成としてある。勿論、このような構成に限るものではなく、本体部１０の外縁に縁部材２０を設ける方法は、肌触りの良好さを阻害するものでなければ、他の如何なる方法を用いる構成としてもよい。
更に、縁部材２０の幅、厚みも本実施形態のものに限るものではなく、適宜変更可能である。
【００１８】
前記顎当て部３０は、衛生マスク用補助具１の使用時に、耳紐４２による本体部１０への顔方向に向かう応力（図５（ａ）において黒塗り矢印で示す力）に伴ってドーム型に構成される本体部１０の形状が崩れることを防止して、図６（ａ）に示すように、使用時の底面視において本体部１０と顎Ｇとの間にドーム型の本体部１０によって形成される開口Ｋ１が維持されるようにするために配置する部材である。
本実施形態においては、図１、図２（ｂ）、図３、図４に示すように、本体部１０の内側下方に、本体部１０の右側端部と左側端部とを橋渡すように連結する帯状部材を配置することで、顎当て部３０を設ける構成としてある。より具体的には、図１、図２（ｂ）に示すように、上辺が下向きに湾曲すると共に、下辺が上向きに湾曲した帯状部材で顎当て部３０を形成する構成としてある。なおここで、「本体部１０の内側」とは、本体部１０において、使用者２の肌と対向する側を内側とするものである。
更に、本実施形態においては、顎当て部３０を形成する帯状部材として、伸縮性のある部材を用いる構成としてある。具体的には、顎当て部３０として、ツーウェイトリコット生地を用いる構成としてある。勿論、顎当て部３０の材質はツーウェイトリコット生地に限るものではなく、肌触りの良好な素材であれば、例えば、伸縮性のない素材など、他の素材を用いる構成としてもよい。
また、図示していないが、本実施形態においては、所定形状、所定大きさのツーウェイトリコット生地を縁部材２０に挟み込んで糸を用いて縫製することで、本体部１０の内側下方に顎当て部３０を設ける構成としてある。勿論、このような構成に限るものではなく、本体部１０の内側下方に顎当て部３０を設ける方法は、肌触りの良好さを阻害するものでなければ、他の如何なる方法を用いる構成としてもよい。
更に、顎当て部３０の形状、上下方向の幅、厚みも本実施形態のものに限るものではなく、適宜変更可能である。具体的には、顎当て部３０は、本体部１０の右側端部付近と左側端部付近とを橋渡すように連結して、使用者２の顎と当接する構成であれば、その形状、配置位置、上下方向の幅、厚みなどは適宜変更可能である。なお、ここで、「端部付近」とは、端部及び端部から３ｃｍ程度の範囲内に入る領域を意味するものである。
【００１９】
本実施形態においては、図３、図４に示すように、このような構成からなる衛生マスク用補助具１を、衛生マスク４０の内側の所定位置に糸を用いて縫製にて予め固定することで、衛生マスク用補助具１を装着してなる衛生マスク４０を形成する構成としてある。なお、図３、図４においては、説明の便宜上、縫製糸を省略して図示するものとする。
勿論、衛生マスク用補助具１を装着してなる衛生マスク４０を形成する方法は、糸を用いて縫製する方法に限るものではなく、衛生マスク用補助具１を衛生マスク４０の内側に固定して装着可能な方法であれば、他の如何なる方法を用いる構成としてもよい。
また、本実施形態においては、衛生マスク４０として、１枚のツーウェイトリコット生地で形成された衛生マスクを用いる構成としてある。勿論、衛生マスク４０の構成はこのような構成に限るものではなく、適宜変更可能である。例えば、衛生マスク４０の材質は、ツーウェイトリコット生地に限るものではなく、不織布など、他の生地を用いる構成としてもよい。
【００２０】
このような構成からなる本考案の実施形態に係る衛生マスク用補助具１及び衛生マスク用補助具１を装着してなる衛生マスク４０は、以下の効果を奏する。
【００２１】
メッシュ状の生地で構成されると共に、使用者２の鼻下からほうれい線に沿って顎Ｇの左右までと当接して覆うと共に、使用時の底面視において顎Ｇとの間に開口Ｋ１が形成され、且つ平面視において鼻先との間に開口Ｋ２が形成されるように膨出したドーム型で構成される本体部１０によって、図５、図６（ａ）に示すように、衛生マスク４０の使用時に、使用者２の口回り（鼻孔部）に適度な空間を形成することができる。また、衛生マスク４０と使用者２の顎Ｇとの間に開口Ｋ１を形成することができると共に、本体部１０の上方側の先端と鼻先との間に開口Ｋ２を形成することができる。
更に、熱プレス加工で形成された本体部１０は元々形状保持力を備えるものであることに加えて、顎当て部３０によって、耳紐４２による本体部１０への顔方向に向かう応力に伴ってドーム型で構成される本体部１０の形状が崩れることを一段と効果的に防止することができる。
以上により、図５において白抜き矢印で示すように、使用者２の鼻や口から吐き出される息を、開口Ｋ２及びメッシュ状の生地の網目１１を通して、開口Ｋ１から放出させることが可能となり、これによって、衛生マスク４０の使用時の蒸れや息苦しさを効果的に軽減させることが可能な衛生マスク用補助具１及び衛生マスク用補助具を備える衛生マスク４０とすることができる。
また、衛生マスク４０の使用者２が、図５、図６（ａ）に示すように、眼鏡の着用者である場合でも、使用者２の鼻や口から吐き出される息が、マスク本体と鼻と頬との境界部分との間に生じる隙間から漏れ出るのではなく、息の大部分をメッシュ状の生地の網目１１を通して開口Ｋ１から放出させることが可能となり、これによって、眼鏡が曇ることを効果的に防止することが可能な衛生マスク用補助具１及び衛生マスク用補助具を備える衛生マスク４０とすることができる。
更に、ドーム型で形成される本体部１０の形状が保持されることで、使用者２の口回りに形成される適度な空間を効果的に保持することが可能となる。従って、図５（ａ）に示すように、衛生マスク４０と唇及びその周辺や頬とが接することを効果的に防止することができる。よって、衛生マスク４０の使用者２が、図５に示すように、女性である場合でも、口紅をはじめとした化粧が落ちることを効果的に防止することが可能な衛生マスク用補助具１及び衛生マスク用補助具を備える衛生マスク４０とすることができる。
【００２２】
また、伸縮性のある帯状部材で顎当て部３０を構成することで、顎当て部３０を一段と使用者２の顎にフィットさせ易くすることができる。よって、装着感の良い衛生マスク用補助具１とすることができる。また、使用者２の顎Ｇとの接触面積が大きい帯状部材で顎当て部３０を形成することで、耳紐４２による本体部１０への顔方向に向かう応力を効果的に低減させることができ、ドーム型で構成される本体部１０の形状が崩れることを一段と効果的に防止することができる。よって、使用時にメガネが曇ることや、化粧が落ちることを一段と効果的に防止でき、また、使用時の蒸れや息苦しさを一段と効果的に軽減できる衛生マスク用補助具１及び衛生マスク用補助具を備える衛生マスク４０とすることができる。
【００２３】
また、糸を用いた縫製により、衛生マスク用補助具１を衛生マスク４０の内側に予め固定して装着する構成とすることで、衛生マスク４０の使用時に、衛生マスク用補助具１がずれ動くことを効果的に防止でき、装着感が良好な衛生マスク用補助具１を備える衛生マスク４０とすることができる。
【００２４】
これに対して、図６（ｂ）に示す従来の衛生マスク５０においては、使用者２の鼻、頬、顎と密着する構成であることから、使用者２の鼻や口から吐き出される息が、図６（ｂ）の白抜き矢印で示すように、マスク本体と鼻と頬との境界部分との間に生じる隙間から漏れ出ることになる。これによって、図６（ｂ）に示すように、衛生マスク５０の使用者２が眼鏡の着用者である場合には、眼鏡のレンズが曇り易くなり、衛生マスク５０の使用時の不快感につながるという問題があった。
また、図６（ｂ）に示す従来の衛生マスク５０においては、口回りに空間が形成されてはいるものの、空間を保持するための部材を備える構成ではないことから、口回りに形成される空間が使用に伴って崩れ易く、衛生マスク５０と唇及びその周辺や頬とが接し易い。よって、図６（ｂ）に示すように、衛生マスク５０の使用者２が女性である場合には、口紅をはじめとした化粧が落ちやすいという問題があった。
更に、図６（ｂ）に示す従来の衛生マスク５０においては、衛生マスク５０と唇及びその周辺や頬とが接しすく、使用者２の口回りに適度な空間がないことで、衛生マスク５０の使用時に、蒸れや息苦しさが生じ易いという問題があった。
これらの問題は、ツーウェイトリコット素材のような剛性のない素材で形成される衛生マスクにおいては、より顕著な問題であった。
従って、既述したように、本考案の実施形態に係る衛生マスク用補助具１を備える衛生マスク４０を使用することで、このような従来の衛生マスク５０に存在した問題点を効果的に解消することが可能となる。
【００２５】
次に、図７を参照して、本考案の実施形態に係る衛生マスク用補助具と衛生マスク用補助具を備える衛生マスクの変形例１、変形例２を説明する。
【００２６】
まず、図７（ａ）を参照して、変形例１は、既述した衛生マスク用補助具１の変形例を示すものである。具体的には、既述した衛生マスク用補助具１に対して、顎当て部３０の形状を変形したものである。その他の構成は、既述した本考案の実施形態に係る衛生マスク用補助具１と同様である。よって、同一部材、同一機能を果たすものには同一番号を付し、詳細な説明は省略するものとする。
図７（ａ）を参照して、本変形例においては、二本の帯状部材がＸ字状に中央でクロスして一体化したような形状からなる顎当て部３０を本体部の内側に設ける構成としてある。
このような構成とすることで、使用者２の顎との接触面積を一段と広げることができ、使用時における衛生マスク用補助具１のホールド性を向上させることができると共に、耳紐４２による本体部１０への顔方向へ向かう応力を一段と効果的に軽減させることができ、ドーム型で構成される本体部１０の形状が崩れることを一段と効果的に防止することができる。
【００２７】
次に、図７（ｂ）を参照して、変形例２は、既述した衛生マスク４０の変形例を示すものである。具体的には、既述した衛生マスク４０に対して、同一形状、同一大きさの２枚の生地を前後に重ね合わせて内部に空洞を備える状態で縫製等を用いて一体化させてなる衛生マスクとするものである。更に、前記２枚の生地の間の所定位置に、衛生マスク用補助具１の本体部１０を内在させた状態で縫製等を用いて固定すると共に、顎当て部３０のみを衛生マスク４０に内在させず且つ本体部１０の右側端部と左側端部とを橋渡すように連結する位置に設ける構成としたものである。その他の構成は、既述した本考案の実施形態に係る衛生マスク用補助具１及び衛生マスク４０と同様である。よって、同一部材、同一機能を果たすものには同一番号を付し、詳細な説明は省略するものとする。
このような構成とすることで、メッシュ状の生地で形成される本体部１０が使用者２の顔に触れることを確実に防止することでき、一段と装着感の良好な衛生マスク４０とすることができる。つまり、本考案における「衛生マスクに装着して」とは、本体部を衛生マスクに内在させて装着する構成と、本体部を衛生マスクに内在させずに装着する構成との何れも含む概念である。
【００２８】
なお、本実施形態においては、糸を用いた縫製により、衛生マスク用補助具１を衛生マスク４０の内側に予め固定して装着する構成としたが、衛生マスク用補助具１の使用方法は必ずしもこのような構成に限るものではない。例えば、衛生マスクの使用時に、衛生マスクの内側の所定位置に衛生マスク用補助具１を着脱可能に挿入して、耳紐４２による本体部１０への顔方向に向かう応力を利用して衛生マスクの内側に衛生マスク用補助具１を固定して装着する構成としてもよい。このような構成とすることで、衛生マスク用補助具の取り替えを容易に行うことが可能となる。
【００２９】
また、衛生マスク用補助具１の本体部１０の形状、大きさ、湾曲面の曲率半径なども本実施形態のものに限るものではなく、少なくとも使用者２の鼻下からほうれい線に沿って顎Ｇの左右までを覆うと共に、使用時の底面視において顎Ｇとの間に開口Ｋ１が形成されるように膨出したドーム型の本体部１０を構成可能なものであれば、他の形状、他の大きさ、他の曲率半径とする構成としてもよい。つまり、既述した本考案の実施形態に係る衛生マスク用補助具１においては、使用者２の鼻下からほうれい線に沿って顎Ｇの左右までと当接して覆うと共に、使用時の底面視において顎Ｇとの間に開口Ｋ１が形成され、且つ平面視において鼻先との間に開口Ｋ２が形成されるように膨出したドーム型の本体部１０とする構成としたが、本体部１０はメッシュ状の生地で形成されるものであることから、開口Ｋ２は必ずしも形成される必要はない。例えば、本体部１０の上方側の先端部が使用者２の鼻先よりも前に出ず、鼻下と接するような構成として開口Ｋ２が形成されない構成としてもよい。このような構成も本考案の範囲内に含まれるものである。しかしながら、好適には、使用時において開口Ｋ１と開口Ｋ２との両方が形成されるような本体部１０とすることが望ましい。
【００３０】
また、縁部材２０は必須の部材ではなく、衛生マスク用補助具１に縁部材２０を設けない構成としてもよい。
【産業上の利用可能性】
【００３１】
本考案の衛生マスク用補助具及び前記衛生マスク用補助具を備える衛生マスクは、使用時にメガネが曇ることや、化粧が落ちることを効果的に防止でき、また、使用時の蒸れや息苦しさを効果的に軽減できることから、衛生マスクに関連する産業分野において有用であり、産業上の利用可能性が大きい。
【符号の説明】
【００３２】
１        衛生マスク用補助具
２        使用者
１０      本体部
１１      網目
２０      縁部材
３０      顎当て部
４０      衛生マスク
４１      耳紐
５０      衛生マスク
Ｋ１      開口
Ｋ２      開口
Ｇ        顎
【図１】
0003230513.tif 000003
【図２】
0003230513.tif 000004
【図３】
0003230513.tif 000005
【図４】
0003230513.tif 000006
【図５】
0003230513.tif 000007
【図６】
0003230513.tif 000008
【図７】
0003230513.tif 000009